(57)【特許請求の範囲】
【請求項１】
電話番号及び当該電話番号と対応する識別情報を含むウェブページをユーザ端末に送信し、前記識別情報を前記ユーザ端末に記憶させるウェブページ提供部と、
前記電話番号宛の呼を受ける通話制御部と、
前記呼の状況を示す情報を取得して架電情報とする架電情報取得部と、
前記呼の状況毎に対応する広告情報が記憶された広告記憶部から前記架電情報と対応する広告情報を抽出し、当該呼の電話番号に対応する識別情報と抽出した広告情報とを対応付けて広告配信情報とする配信情報生成部と、
を備える広告配信システム。
【請求項２】
前記ユーザ端末から閲覧要求を受信した場合に、当該ユーザ端末から識別情報を取得する識別情報取得部と、
前記ユーザ端末から取得した前記識別情報と対応する広告情報を前記広告配信情報から抽出して当該ユーザ端末に配信する広告配信部と、
を更に備える請求項１に記載の広告配信システム。
【請求項３】
広告記憶部に記憶された広告情報のうち、前記架電情報と適合する広告情報を抽出する請求項１又は２に記載の広告配信システム。
【請求項４】
電話番号及び当該電話番号と対応する識別情報を含むウェブページをユーザ端末に送信し、前記識別情報を前記ユーザ端末に記憶させるステップと、
前記電話番号宛の呼を受けるステップと、
前記呼の状況を示す情報を取得して架電情報とするステップと、
前記呼の状況毎に対応する広告情報が記憶された広告記憶部から前記架電情報と対応する広告情報を抽出し、当該呼の電話番号に対応する識別情報と抽出した広告情報とを対応付けて広告配信情報とするステップと、
をコンピュータに実行させる広告配信方法。
【発明の詳細な説明】
【技術分野】
【０００１】
本発明は、電話によるアクセスに基づき、ネットワークを介して広告を配信する技術に関する。
【背景技術】
【０００２】
インターネット上で提供されるワールドワイドウェブ（ＷＷＷ、以下単にウェブとも称する）の普及に伴い、近年、ウェブを介した広告配信が盛んに行われている。このウェブを介した広告配信としては、例えば、ウェブページの所定の位置に、企業や商品等を示すアイコンやリンク、バナー、画像といった広告を表示し、かかる広告がクリックされた場合にオンラインショップ等のウェブページへ遷移するものがある。
【０００３】
かかる広告配信においては、宣伝効果を高めるために、ユーザがアクセスしたサイトの閲覧履歴を解析してユーザの嗜好を特定し、ユーザの嗜好にあった広告を選択的に配信する所謂ターゲティング広告が行われている。
【先行技術文献】
【特許文献】
【０００４】
【特許文献１】特開２０１２−９４０９７号公報
【発明の概要】
【発明が解決しようとする課題】
【０００５】
従来のターゲティング広告では、ターゲットを絞り込むために、サイトの閲覧といったウェブ上でのユーザ行動を用いていた。なお、ユーザ行動は、ウェブ上のものだけでなく、電話で問い合わせを行うことや、電話で予約を行うといった、電話によるユーザ行動もある。特に、電話によるユーザ行動は、詳細な問い合わせや、最終的な確認などといった商品購入が具体化した段階で行われることが多く、広告配信に有用な情報を有していることが多い。
【０００６】
しかし、問い合わせ等のユーザ行動が、電話で行われた場合、この電話によるユーザ行動と、ウェブサイトへのアクセスとを結びつけることができないため、電話でのユーザ行動を広告配信に反映させることは出来なかった。
【０００７】
そこで、本発明は、電話によるアクセスに基づいて広告配信を行う技術の提供を課題とする。
【課題を解決するための手段】
【０００８】
上記課題を解決するため、本発明の広告配信システムは、
電話番号及び当該電話番号と対応する識別情報を含むウェブページをユーザ端末に送信し、前記識別情報を前記ユーザ端末に記憶させるウェブページ提供部と、
前記電話番号宛の呼を受ける通話制御部と、
前記呼の状況を示す情報を取得して架電情報とする架電情報取得部と、
前記呼の状況毎に対応する広告情報が記憶された広告記憶部から前記架電情報と対応する広告情報を抽出し、当該呼の電話番号に対応する識別情報と抽出した広告情報とを対応付けて広告配信情報とする配信情報生成部と、
を備える。
【０００９】
前記広告配信システムは、
前記ユーザ端末から閲覧要求を受信した場合に、当該ユーザ端末から識別情報を取得する識別情報取得部と、
前記ユーザ端末から取得した前記識別情報と対応する広告情報を前記広告配信情報から抽出して当該ユーザ端末に配信する広告配信部と、
を更に備えても良い。
【００１０】
前記広告配信システムは、
広告記憶部に記憶された広告情報のうち、前記架電情報と適合する広告情報を抽出しても良い。
【００１１】
また、本発明の広告配信方法は、
電話番号及び当該電話番号と対応する識別情報を含むウェブページをユーザ端末に送信し、前記識別情報を前記ユーザ端末に記憶させるステップと、
前記電話番号宛の呼を受けるステップと、
前記呼の状況を示す情報を取得して架電情報とするステップと、
前記呼の状況毎に対応する広告情報が記憶された広告記憶部から前記架電情報と対応する広告情報を抽出し、当該呼の電話番号に対応する識別情報と抽出した広告情報とを対応付けて広告配信情報とするステップと、
をコンピュータに実行させる。
【００１２】
また、本発明の広告配信方法は、
前記ユーザ端末から閲覧要求を受信した場合に、当該ユーザ端末から識別情報を取得するステップと、
前記ユーザ端末から取得した前記識別情報と対応する広告情報を前記広告配信情報から抽出して当該ユーザ端末に配信するステップと、
を更に実行しても良い。
【００１３】
前記広告配信方法は、
広告記憶部に記憶された広告情報のうち、前記架電情報と適合する広告情報を抽出しても良い。
【発明の効果】
【００１４】
本発明は、電話によるアクセスに基づいて広告配信を行う技術を提供できる。
【図面の簡単な説明】
【００１５】
【図１】図１は、広告配信システムの概略図である。
【図２】図２は、実施形態におけるウェブサーバの概略構成図である。
【図３】図３は、ウェブページの表示例を示す図である。
【図４】図４は、リターゲティング用のタグの一例を示す図である。
【図５】図５はアプリケーションサーバの概略構成図である。
【図６】図６は、状況テーブルの一例を示す図である。
【図７】図７は、呼制御装置の概略構成図である。
【図８】図８は、広告配信サーバの概略構成図である。
【図９】図９は、アクセス管理方法の説明図である。
【図１０】図１０は、アクセス管理方法の説明図である。
【図１１】図１１は、アクセス管理方法の説明図である。
【図１２】図１２は、アクセス管理方法の説明図である。
【図１３】図１３は、広告配信システムの変形例を示す図である。
【発明を実施するための形態】
【００１６】
以下、図面を参照して本発明に係る実施の形態について説明する。以下の実施の形態の構成は例示であり、本発明は実施の形態の構成に限定されない。
〈システム構成〉
図１は、本発明に係る広告配信システムの概略図である。本例の広告配信システム１０は、ウェブサーバ１や、アプリケーションサーバ２、呼制御装置７、広告配信サーバ８を有している。
【００１７】
ユーザ端末３は、インターネット等のネットワークＮを介してウェブの閲覧や電子メールの送受信を行うクライアント端末としての機能と、電話回線Ｄを介して音声通話を行う電話機としての機能を有している。なお、ユーザ端末３は、クライアント端末の機能と電話機の機能とを一体的に備えたものに限らず、クライアント端末（情報処理装置）と電話機とが別体であっても良い。
【００１８】
図２は、本実施形態におけるウェブサーバ１の概略構成図である。図２に示すように、ウェブサーバ１は、ＣＰＵ（central processing unit）やメインメモリ等よりなる演算
処理部１２、演算処理の為のデータやソフトウェアを記憶した記憶部（ハードディスク）１３、入出力インタフェース１４、通信制御部（ＣＣＵ：Communication Control Unit）１５等を備えたコンピュータである。
【００１９】
該入出力インタフェース１４は、入出力手段と接続し、信号の入出力を行うインタフェースである。入出力インタフェース１４には、コンソール（キーボードやディスプレイを含む）や記憶媒体の読み書き装置等が入出力手段として適宜接続される。
【００２０】
ＣＣＵ１５は、ネットワークＮを介して他のコンピュータとの接続を確立し、ＣＰＵからの命令に応じた他のコンピュータとの通信の制御を行う。
【００２１】
記憶部１３には、オペレーティングシステム（ＯＳ）やアプリケーションソフト（サーバプログラム）といったソフトウェアがインストールされていると共に、ウェブサイトを構成するウェブページ等のデータを記憶している。また、記憶部１３は、ユーザ認証用の登録データや、ユーザの電話番号といったユーザ情報を記憶し、ユーザ情報記憶部としても機能する。
【００２２】
演算処理部１２は、前記ＯＳやアプリケーションプログラムを記憶部１３から適宜読み出して実行し、入出力インタフェース１４やＣＣＵ１５から入力された情報、及び記憶部１３から読み出した情報を演算処理することにより、ウェブページ提供部４２としても機能する。
【００２３】
ウェブページ提供部４２は、ユーザ端末３からＵＲＬで指定されたウェブページの閲覧要求を受けた場合に、当該ウェブページを記憶部１３から読み出してユーザ端末３に送信する。ここで、ウェブページ提供部４２は、リターゲティング用のタグ及び連絡用電話番号を含むウェブページを提供する。なお、本実施形態において、連絡用電話番号とは、識別情報と対応つけることによって電話に用いることができるようにしたCookieとしての電話番号であり、例えばPhoneCookie（登録商標、以下の明細書及び図面についても同様）
である。本実施形態では、このリターゲティング用のタグに含まれる識別情報や連絡用電話番号は、ユーザの識別を可能とするため、ユーザ毎にユニークなものが割り当てられている。例えば、ウェブページ中のリターゲティング用の識別情報や連絡用電話番号は、変数で記述され、ウェブページ提供部４２によって動的に割り当てられる。本実施形態では、ウェブページ提供部４２が、連絡用電話番号をアプリケーションサーバ２から取得し、ウェブページに挿入してユーザ端末３へ提供している。図３は、ウェブページ１０１の表示例を示す図である。図３に示すように、連絡用電話番号１０２は、ウェブページ１０１
上に表示される。
【００２４】
また、ウェブページ提供部４２は、リターゲティング用のタグとして、例えば、ウェブページのＢｏｄｙに、図４に示すようなスクリプトを記述しておく。これにより、ユーザ端末３が、リターゲティング用の識別情報としてＩＤ９１やラベル９２を定義し、外部のプロセス９３を読み出して実行し、ＩＤ９１及びラベル９２をＨＴＴＰクッキーとして記憶すると共にＩＤ９１、ラベル９２及び連絡用電話番号をアプリケーションサーバ２へ送信するようにしている。図４においてＩＤ９１は、ウェブページ毎に割り当てられた識別情報であり、ラベル９２はユーザ毎に割り当てられた識別情報である。図４の例では、ＩＤ９１，ラベル９２と連絡用電話番号とを異ならせたが、本実施形態では、連絡用電話番号もウェブページ及びユーザ固有の番号であるので、識別情報として連絡用電話番号を用いてもよい。例えば、アプリケーションサーバ２が、ユーザ毎に割り当てた連絡用電話番号をウェブページ上に表示するように記述すると共にリターゲティング用のタグに識別情報として記述して、ウェブページをユーザ端末３に提供する。これにより連絡用電話番号と識別情報の対応テーブルを省略できる。
【００２５】
図５はアプリケーションサーバ２の概略構成図である。図５に示すように、アプリケーションサーバ２は、ＣＰＵ（central processing unit）やメインメモリ等よりなる演算
処理部２２、演算処理の為のデータやソフトウェアを記憶した記憶部（ハードディスク）２３、入出力インタフェース２４、通信制御部（ＣＣＵ：Communication Control Unit）２５等を備えたコンピュータである。
【００２６】
該入出力インタフェース２４は、入出力手段と接続し、信号の入出力を行うインタフェースである。入出力インタフェース２４には、コンソール（キーボードやディスプレイを含む）や記憶媒体の読み書き装置等が入出力手段として適宜接続される。
【００２７】
ＣＣＵ２５は、ネットワークＮを介して他のコンピュータとの接続を確立し、ＣＰＵからの命令に応じた他のコンピュータとの通信の制御を行う。
【００２８】
記憶部２３には、オペレーティングシステム（ＯＳ）やアプリケーションソフト（広告配信プログラム）といったソフトウェアがインストールされていると共に、連絡先のデータ等を記憶している。
【００２９】
演算処理部２２は、前記ＯＳやアプリケーションプログラムを記憶部２３から適宜読み出して実行し、入出力インタフェース２４やＣＣＵ２５から入力された情報、及び記憶部２３から読み出した情報を演算処理することにより、PhoneCookie発行部（連絡番号発行
部）５１、架電情報取得部５７、配信情報生成部５８としても機能する。
【００３０】
PhoneCookie発行部５１は、ウェブサーバ１から連絡要求情報を受信した場合に、当該
連絡要求情報と対応する連絡用電話番号を発行する。この連絡用電話番号は、後述のように当該PhoneCookieとしての電話番号は、ユーザ端末３或いは連絡先の電話機４からこの
電話番号宛に電話をかけた場合に呼制御装置７で着呼するように呼制御装置用に確保した電話番号である。例えば、０５０−ＡＢＣＤ−××××のような１１桁の電話番号を用いる場合、末尾４桁が００００から末尾４桁が９９９９までの１万通りの電話番号を確保する。即ち、先頭の７ケタが０５０−ＡＢＣＤであれば、末尾４桁が何番であっても全ての呼が呼制御装置７へ着信するようにする。従って末尾４桁を自由にナンバリングしてユーザに通知した場合であっても、この番号宛ての電話を全て呼制御装置７で受けることができる。このように呼制御装置７用の電話番号を複数確保しておき、PhoneCookie発行部５
１は、各連絡要求情報に前記呼制御装置７用の電話番号の一つをPhoneCookieとして割り
当て、各PhoneCookieが連絡要求情報に割り当てられた全てのPhoneCookieの中でユニーク
となるようにする。即ち、PhoneCookieに対応する連絡要求情報が一意に特定できるよう
にしている。
【００３１】
架電情報取得部５７は、呼制御装置７で受けた呼の状況を示す情報を呼制御装置７から取得して架電情報とする。
【００３２】
配信情報生成部５８は、前記呼の状況毎に対応する広告情報が記憶された状況テーブル（広告記憶部）から前記架電情報と対応する広告情報を抽出し、当該呼の電話番号に対応する識別情報と抽出した広告情報とを対応付けて広告配信情報とする。
【００３３】
図６は、状況テーブルの一例を示す図である。図６（ａ）に示すように状況テーブルは、呼の状況として、例えば、通話ステータス、待ち時間、通話時間、終話ステータス、顧客発信者電話番号、顧客電話機種別、顧客発信地域、性別、年齢、居住地域、勤務地、職業、学校、家族構成、顧客タイプ、趣味趣向、予算、感情等を記憶し、更にこれらと対応つけた広告情報を記憶している。図６（ａ）において、通話ステータスは、話中呼、呼出中断（呼出中のまま通話状態を確立できなかった呼）、通話状態確立、放棄呼（通話状態確立後、待ち呼となり、オペレータが取る前に切られた呼）等の別を示す。待ち時間は、呼出中断の場合の顧客待ち時間や、放棄呼の場合の顧客待ち時間等を示す。終話ステータスは、顧客側から終話（切断）したのか、オペレータ側から終話（切断）したのかを示す。顧客電話機種別は、顧客（発信者）の電話番号に基づく固定電話、携帯電話、ＰＨＳ、ＩＰ電話等の種別を示す。顧客発信地域は、顧客（発信者）の電話番号の市外局番や対向設備の基地局情報等に基づく発信地を示す。
【００３４】
発呼回数は、同日中や所定期間内に同じ発信者番号から発呼された回数、又は、同じ連絡用電話番号に発呼された回数を示す。顧客タイプは、例えば車の広告の場合に、ファミリー、スポーツ、商用、貨物などとするように、顧客を所定のタイプ（セグメント）に区分した場合の種別を示す。感情は、顧客が怒っているのか、困っているのか等、顧客の感情を示す。なお、本実施形態において、通話ステータス、待ち時間、通話時間、終話ステータス、顧客発信者電話番号、顧客電話機種別、顧客発信地域は、呼制御装置７の検出に基づき、性別、年齢、居住地域、勤務地、職業、学校、家族構成、顧客タイプ、趣味趣向、予算、感情は、オペレータの入力に基づいて処理を行う。購買ステータスは、購入済、未購入、予約中などの購買の状況を示す。具体的には、図６（ｂ）に示すように、通話ステータスが話中呼で、待ち時間が６０秒未満である架電状況と、Ｑ＆Ａ集やサポート情報を記載したヘルプページとを対応付けている。また、通話ステータスが放棄呼で、待ち時間が６０秒以上である架電状況と、電話することを思い出させる広告とを対応付けている。更に、購入ステータスが購入済である架電状況と、購入した商品と関連する商品の広告を対応付け、購入ステータスが予約中である架電状況と、広告を配信しない旨を示す情報とを対応付けている。
【００３５】
図７は呼制御装置７の概略構成図である。呼制御装置７は、電話回線網Ｄを介して電話機間の呼を制御する装置である。本実施形態において、呼制御装置７は、ＳＩＰ（Session Initiation Protocol）によって電話機間の呼を制御する所謂ＳＩＰサーバである。な
お、本実施形態の呼制御装置７は、ＳＩＰサーバに限らず、ＣＴＩサーバ、ＩＰ−ＰＢＸ、他の方式の電話交換機であっても良い。図７に示すように、呼制御装置７は、ＣＰＵ（central processing unit）やメインメモリ等よりなる演算処理部７２、演算処理の為の
データやソフトウェアを記憶した記憶部（ハードディスク）７３、入出力インタフェース７４、通信制御部（ＣＣＵ：Communication Control Unit）７５等を備えたコンピュータである。
【００３６】
該入出力インタフェース７４は、入出力手段と接続し、信号の入出力を行うインタフェ
ースである。入出力インタフェース７４には、コンソール（キーボードやディスプレイを含む）や記憶媒体の読み書き装置等が入出力手段として適宜接続される。
【００３７】
ＣＣＵ７５は、電話回線網Ｄを介して他の装置との接続を確立し、ＣＰＵからの命令に応じた通信の制御を行う。本実施形態のＣＣＵ７５は、ＳＩＰに従って通信を行うものであり、電話回線網Ｄ内のＶｏＩＰゲートウェイや無線基地局を介して電話機４やユーザ端末３等の呼を制御する。例えば、電話機４は、電話回線網Ｄ内のＶｏＩＰゲートウェイに収容され、電話機４からの音声信号や制御信号はＶｏＩＰゲートウェイでＶｏＩＰパケットに変換されて呼制御装置７に送られる。また、呼制御装置７から電話機４へ送信したＶｏＩＰパケットは、ＶｏＩＰゲートウェイで音声信号や制御信号に変換されて電話機４へ送られる。また、ユーザ端末３は携帯電話回線を介して無線基地局に収容され、ユーザ端末３からの音声信号や制御信号は、無線基地局でＶｏＩＰパケットに変換されて呼制御装置７に送られる。また、呼制御装置７からユーザ端末３へ送信したＶｏＩＰパケットは、無線基地局で音声信号や制御信号に変換されてユーザ端末３へ送られる。
【００３８】
記憶部７３には、オペレーティングシステム（ＯＳ）やアプリケーションソフトといったソフトウェアがインストールされていると共に、連絡先のデータ等を記憶している。
【００３９】
演算処理部７２は、前記ＯＳやアプリケーションプログラムを記憶部７３から適宜読み出して実行し、入出力インタフェース７４やＣＣＵ７５から入力された情報、及び記憶部７３から読み出した情報を演算処理することにより、通話制御部７９としても機能する。
【００４０】
通話制御部７９は、ユーザ端末３からの呼を受けて、連絡先の電話機４との間で呼を確立させ、ユーザ端末３と電話機４による通話を可能にする。通話制御部７９は、ユーザ端末３から呼を受けた場合に、特定のコールセンタ内の電話機４を連絡先として接続するものでも良いし、アプリケーションサーバ２から、連絡先の情報を取得し、この連絡先の電話機４との間で呼を確立させるものでも良い。
【００４１】
また、通話制御部７９は、呼の確立や待ち時間、終話（切断）など、呼の状況を検出してアプリケーションサーバ２へ通知する。
【００４２】
図８は広告配信サーバ８の概略構成図である。広告配信サーバ８は、ＣＰＵ（central processing unit）やメインメモリ等よりなる演算処理部８２、演算処理の為のデータや
ソフトウェアを記憶した記憶部（ハードディスク）８３、入出力インタフェース８４、通信制御部（ＣＣＵ：Communication Control Unit）８５等を備えたコンピュータである。広告配信サーバ８は、所謂アドサーバとしての処理を行う装置であるが、これに限らず、ユーザ端末３の識別情報に基づいて広告情報を配信する機能を有するものであれば、ＤＳＰやＤＭＰ、リコメンドエンジン等の装置であっても良い。
【００４３】
該入出力インタフェース８４は、入出力手段と接続し、信号の入出力を行うインタフェースである。入出力インタフェース８４には、コンソール（キーボードやディスプレイを含む）や記憶媒体の読み書き装置等が入出力手段として適宜接続される。
【００４４】
ＣＣＵ８５は、ネットワークＮを介して他のコンピュータとの接続を確立し、ＣＰＵからの命令に応じた他のコンピュータとの通信の制御を行う。
【００４５】
記憶部８３には、オペレーティングシステム（ＯＳ）やアプリケーションソフト（広告配信プログラム）といったソフトウェアがインストールされていると共に、連絡先のデータ等を記憶している。
【００４６】
演算処理部８２は、前記ＯＳやアプリケーションプログラムを記憶部８３から適宜読み出して実行し、入出力インタフェース８４やＣＣＵ８５から入力された情報、及び記憶部８３から読み出した情報を演算処理することにより、識別情報取得部８８や広告配信部８９としても機能する。
【００４７】
識別情報取得部８８は、前記ユーザ端末からウェブページの閲覧要求を受信した場合に、当該ユーザ端末から識別情報を取得する。
【００４８】
広告配信部８９は、前記ユーザ端末から取得した前記識別情報と対応する広告情報を前記広告配信情報から抽出して当該ユーザ端末に配信する。
【００４９】
〈管理方法〉
次に図９−図１２を用いて、上記広告配信システム１０が実行する広告配信方法について説明する。
【００５０】
まず、ウェブサーバ１は、図９に示すように、ユーザ端末３からウェブページの閲覧要求を受信し（ステップＳ１０）、当該ユーザ端末固有の識別情報をリターゲティング用のタグのラベルとして割り当てる（ステップＳ２０）。また、ウェブサーバ１は、当該ウェブページが、連絡用電話番号を表示するページの場合、アプリケーションサーバ２から連絡用電話番号を取得して当該ウェブページに割り当て（ステップＳ３０）、前記連絡用電話番号及びラベル（識別情報）を記述したウェブページをユーザ端末３に送信する（ステップＳ４０）。
【００５１】
ウェブページを受信したユーザ端末３は、この連絡用電話番号を含むウェブページを表示し、ＩＤ及びラベルからなる識別情報をＨＴＴＰクッキーとして記憶すると共に、当該識別情報及び連絡用電話番号をアプリケーションサーバ２へ送信する。アプリケーションサーバ２は、このユーザ端末３から受信した識別情報及び連絡用電話番号を記憶部２３に記憶する。なお、識別情報及び連絡用電話番号をユーザ端末３がアプリケーションサーバ２へ送信する構成に限らず、ウェブサーバ１が連絡用電話番号と対応する識別情報をアプリケーションサーバ２へ送信する構成でも良い。例えば、ウェブサーバ１が連絡用電話番号を取得する際に識別情報をアプリケーションサーバ２へ送信し、これに対しアプリケーションサーバ２が連絡用電話番号を発行し、この識別情報及び連絡用電話番号を記憶部２３に記憶しても良い。また、ウェブサーバ１がステップＳ３０で予め割り当てられた複数の連絡用電話番号から一つを選択してユーザ端末３に割り当てる場合に、この識別情報及び連絡用電話番号をアプリケーションサーバ２へ送信し、受信したアプリケーションサーバ２が、この識別情報及び連絡用電話番号を記憶部２３に記憶しても良い。
【００５２】
また、ユーザが、前記ウェブページに表示された連絡用電話番号宛に電話をかけると、図１０に示すように、呼制御装置７が、呼の要求を受信し（ステップＳ２１０）、連絡先の電話機４と接続して呼を確立させる（ステップＳ２２０）。そして、呼制御装置７は、この呼が終了するまで呼の状態を検出し、この呼の状態と連絡用電話番号を対応付けて架電情報とし（ステップＳ２３０）、呼が終了した場合に（ステップＳ２４０、Ｙｅｓ）、当該架電情報をアプリケーションサーバ２へ送信する（ステップＳ２５０）。
【００５３】
図１１に示すように、アプリケーションサーバ２は、呼制御装置７から架電情報を受信し、記憶部２３に記憶する（ステップＳ３１０）。次に、アプリケーションサーバ２は、状況テーブルに基づいて、受信した架電情報と対応する広告情報を選択する（ステップＳ３２０）。例えば、サポートセンターへの電話の通話ステータスが話中であったり、呼出中断であった場合にＱ＆Ａの情報を選択する、特定の商品に関する電話であった場合に当該商品や、当該商品とは別の商品、当該商品の代替商品、関連商品の情報を選択する、或
は、顧客の年齢や顧客タイプに応じた商品の情報を選択する。関連する商品の広告を配信するような場合、ウエブサーバ１が連絡用電話番号を取得する際や、ユーザ端末３識別情報を送信する際に、当該ウェブページのＵＲＬや当該ウェブページに入力された情報をアプリケーションサーバ２へ送信し、アプリケーションサーバ２が、当該ウェブページのＵＲＬや当該ウェブページに入力された情報に基づいて、購入対象の商品を特定し、特定した商品と関連した商品の広告、特定した商品よりグレードの高い商品の広告等を選択しても良い。なお、架電情報が、商品の購入や予約の完了など、一定の成果を示していた場合、冗長な広告が配信されてしまわないように、広告を配信しないという選択があっても良い。
【００５４】
このとき、受信した架電情報に限らず、受信した架電情報と発信者番号が同じ架電情報を記憶部２３から抽出し、これら発信者番号が同一の架電情報と対応する広告情報を選択するようにしても良い。これにより、ユーザが、デスクトップＰＣやタブレットＰＣ等、他のデバイスでウェブサーバ１にアクセスし、ウェブページを閲覧してユーザ端末３で電話をかけた場合に、発信者番号が同じであれば、同じユーザの行動履歴（架電情報）として広告情報の選択に用いることができ、複数デバイスに係る行動履歴を集約して精度を高めた広告情報を提供できる。
【００５５】
また、アプリケーションサーバ２は、受信した架電情報と発信者番号が同じ架電情報、又はこれらの架電情報に基づいて選択された広告情報を過去実績データとして抽出し、この過去実績データに応じて、同タイプの広告の配信頻度や配信期間の長さといった配信条件を決定する（ステップＳ３２５）。
【００５６】
次に、アプリケーションサーバ２は、ステップＳ３１０で受信した架電情報の連絡用電話番号と対応する識別情報を記憶部２３から読み出し、この識別情報とステップＳ３２０で選択した広告情報、及びステップＳ３２５で決定した配信条件を対応付けて広告配信情報とし（ステップＳ３３０）、広告配信サーバ８へ送信する（ステップＳ３４０）。
【００５７】
そして、図１２に示すように、広告配信サーバ８は、ユーザ端末３からウェブページの閲覧要求を受信した場合に（ステップＳ４１０）、当該ユーザ端末３からＨＴＴＰクッキーとして記憶されている識別情報を取得する（ステップＳ４２０）。広告配信サーバ８は、この識別情報と対応する広告情報を前記広告配信情報から抽出し（ステップＳ４３０）、当該ユーザ端末３に配信する（ステップＳ４４０）。
【００５８】
このように、本実施形態の広告配信システムによれば、電話によるユーザ行動に基づいた広告情報をウェブを介して配信することができる。
【００５９】
例えば、ＷＥＢサイトを見て顧客が企業に電話をかけたが、企業側で電話を取れなかった場合、この顧客に対して電話で折り返すことも考えられるが、一般的に電話で折り返す旨求められてもいないのに面識のない企業から電話がかかって来る事を顧客は望んでいない。顧客は本来電話する用事があったはずだが、また後でかけなおそうと思ってもその事を忘れてしまったり、いざかけなおす際に連絡先がわからなくなったりしてしまうことがある。一方、企業の側も、本来ニーズを持っていたにも関らず受け切れなかった顧客を取り戻したいが、面識のない状態では企業側から電話をかけにくいという問題があった。
【００６０】
そこで、本実施形態の広告配信システムでは、ＷＥＢサイトを見て電話をかけて来たトランザクションのうち、通話結果が話中呼、呼出断、放棄呼となったものを特定し、その通話を行った顧客のユーザ端末（ＷＥＢブラウザ）に対して、「もう一度その企業に電話することを思い出させる広告」「連絡先がわからなくなった ユーザに電話番号やＷＥＢ
ページを簡単にナビゲーションする広告」を配信する。即ち、これらの広告をリターゲテ
ィング広告で配信することにより、顧客がその企業のWEBサイトに戻らなくても、WEBブラウザでｗｗｗにアクセスしている中でアピールできる。
【００６１】
また、非常にピーク性の高いコールセンタでは顧客からのコールを裁き切る事ができずに、大量の放棄呼を発生させている場合等がある。このような場合、電話がつながらなかった顧客は、何の解決策も得られていないために不満を感じるとともにリダイヤルを行う事になり、電話の混雑は長引いてしまう。本来このような顧客に対して、ＷＥＢのヘルプページを紹介するなどの対応が行えれば、コールセンタの人件費を上げずにある程度の対応ができるが、電話も繋がっていない顧客にそのような対応をする事は出来なかった。
【００６２】
そこで、本実施形態の広告配信システムでは、WEBサイトを見て電話をかけて来たトラ
ンザクションのうち、通話結果が話中呼、呼出断、放棄呼である通話を特定し、その通話を行った顧客のWEBブラウザに対して、「その件に関するWEBの特設ページなどを案内する広告」を配信することにより対応できる。
【００６３】
〈変形例１〉
上記実施形態では、ユーザ（顧客）が、連絡用電話番号を見て電話をする例を示したが、この場合、バナー広告等のリンクを選択した際に電話をかけるようにしても良い。図１３は、この変形例１を示す図である。
【００６４】
図１３の例では、ウェブページ１０５のバナー広告１０６を選択したときに、ユーザ端末３が識別情報をアプリケーションサーバ２へ送信し、連絡用電話番号を取得し、電話をかけるメッセージ１０７を表示する構成としたことが、前述の実施形態と異なり、その他の構成は同じである。例えば、ユーザ端末３が識別情報をアプリケーションサーバ２へ送信すると、これに対しアプリケーションサーバ２が連絡用電話番号を発行し、この識別情報及び連絡用電話番号を記憶部２３に記憶する。なお、ユーザ端末３が、ウェブページ１０５を表示した際に識別情報（ＩＤ及びラベル）をＨＴＴＰクッキーとして記憶する構成は同じである。
【００６５】
そして、ユーザがメッセージ１０７のＯＫボタン１０８を選択、即ち架電を選択し、電話をすることで、前述の実施形態と同様に、この電話によるユーザ行動に応じた広告配信を行うことができる。
【００６６】
特に、スマートフォンなどの携帯端末向けのウェブページでは、表示領域が限られるために、連絡用電話番号を表示できるページが制限されるため、このウェブページにたどり着くまでの導線が長くなる（アクセスするページ数が多くなる）傾向にあるが、本変形例のようにバナー広告等のリンクを選択することで電話をかけることができれば、短い導線で容易に電話をかけることができる。
【００６７】
なお、バナー広告のリンクのかわりに検索エンジンからの検索結果またはテキスト、広告に含まれるリンクを代替する事も出来て、その場合には検索に使われたキーワードも識別情報と共にアプリケーションサーバ２へ送信することができる。アプリケーションサーバ２は、このキーワードを識別情報と共に記憶し、配信する広告を選択する情報として用いても良い。
【００６８】
〈その他〉
本発明は、上述の図示例にのみ限定されるものではなく、本発明の要旨を逸脱しない範囲内において種々変更を加え得ることは勿論である。また、これらの構成要素は可能な限り組み合わせることができる。
【符号の説明】
【００６９】
１     ウェブサーバ
２     アプリケーションサーバ
３     ユーザ端末
４     電話機
７     呼制御装置
８     広告配信サーバ
１０   広告配信システム
【図１】
0006279984.tif 000002
【図２】
0006279984.tif 000003
【図３】
0006279984.tif 000004
【図４】
0006279984.tif 000005
【図５】
0006279984.tif 000006
【図６】
0006279984.tif 000007
【図７】
0006279984.tif 000008
【図８】
0006279984.tif 000009
【図９】
0006279984.tif 000010
【図１０】
0006279984.tif 000011
【図１１】
0006279984.tif 000012
【図１２】
0006279984.tif 000013
【図１３】
0006279984.tif 000014